(57)【特許請求の範囲】
【請求項１】
袋口あるいは筒口２に紐通し口３を設けた紐通し部４を形成し、紐通し部４内に引締め紐５を一周させて、その両端を紐通し口３より引き出すとともに、環状のスライダー６に摩擦抵抗が生じるようその両端を通し、かつその環状のスライダー６に持ち手８を引締め紐５と共に通すか、あるいは環状のスライダー６に合成樹脂や金属片の持ち手８を一体として取り付けことを特徴とする袋口あるいは筒口の引締め紐による開閉紐構造。
【請求項２】
袋口あるいは筒口２に紐通し口３を設けた紐通し部４を形成し、紐通し部４内に引締め紐５を一周させて、その両端を紐通し口３より引き出すとともに、ロックの板バネ１４や圧力板１７に持ち手８を取り付けた環状のスイダー６に、その両端を通した環状のスライダー６は、板バネ１４や圧力板１７で引締め紐５が押されて締めつけられて止められ、板バネ１４や圧力板１７の持ち手８を持って引き上げると、板バネ１４や圧力板１７が引き上げられてロックがはずれ、環状のスライダーが引締め紐上を移動できる構造にし、環状のスライダーに板バネ１４や圧力板１７に持ち手８を取り付けたことを特徴とする袋口あるいは筒口の引締め紐による開閉紐構造。  
【請求項３】
環状のスライダー６を、紐通し口３に固定したことを特徴とする請求項１、または請求項２記載の袋口あるいは筒口の引締め紐による開閉紐構造。
【請求項４】
袋口あるいは筒口２に第一の紐通し部４Ａ、第二の紐通し部４Ｂを形成し、その第一の紐通し部４Ａ、第二の紐通し部４Ｂに互いに対向した第一の紐通し口３Ａ及び第二の紐通し口３Ｂを設けることによって、その第一の紐通し部４Ａ、第二の紐通し部４Ｂを第一の紐通し部４Ａ半部、第二の紐通し部４Ｂ半部に分割し、第一の引締め紐５Ａを第一の紐通し口３Ａから第一の紐通し部４Ａを通して第二の紐通し口３Ｂより引き出し、第二引締め紐５Ｂを第一の紐通し口３Ａから第二の紐通し部４Ｂを通して第二の紐通し口３Ｂより引き出し、両側の第一の紐通し口３Ａ、第二の紐通し口３Ｂより出ている、第一の引締め紐５Ａ、第二の引締め紐５Ｂの両端を、それぞれ第一の環状のスライダー６Ａ第二の環状のスライダー６Ｂを通し、かつそれぞれの第一の環状スライダー６Ａ、第二の環状のスライダー６Ｂを第一の紐通し口３Ａ及び第二の紐通し口３Ｂに固定したことを特徴する請求項１、または請求項２記載の袋口あるいは筒口の引締め紐による開閉紐構造。
【請求項５】
紐通し口３と略反対側における紐通し部４に穴１２を開け、その穴１２から引締め紐５に第二の持ち手１０をくぐらせ取り付けたことを特徴とする請求項１から３記載の袋口あるいは筒口の引締め紐による開閉紐構造。
【発明の詳細な説明】
【技術分野】
【０００１】  本発明は、袋体の袋口や、衣類の筒口の紐通し部に通されている、袋口あるいは筒口の引締め紐による開閉紐構造に関する。
【背景技術】
【０００２】従来は、袋体の袋口あるいは筒口が引締め紐で押し縮められ絞られている場合、袋口あるいは筒口を開けるのに手で押し広げなければ開けることができなかったので、子供や手の力の弱い人には袋口あるいは筒口が開けにくかった。また、引締め紐に緩み止めが取り付けていなものは、持ち運び中に袋口あるいは筒口が緩みやすかった。衣類の筒口についている緩み止めは、緩み止めを移動させてから開けなければならないので、２回の動作を行わないと開くことができなかつた。特許文献１については、巾着袋において、前記袋体の挿脱口部に近い左右両側部位に、挿脱口部獲拡開用の１対の摘み片を取付けたと記載されている。特許文献２については、引締め式開閉袋の上記リング状の紐通し部２の一部に閉鎖状の開口部３を閉じ紐４に沿って外周方向に引きのばすことにより開口せしめる把手部７を設けていると記載されている。
【先行技術文献】
【０００３】
【特許文献１】  実用新案登録第３０８８２９０号
【特許文献２】  実用新案登録第３０３９６４６号
【発明の概要】
【発明が解決しようとする課題】
【０００４】  従来は、紐通し部に通されている引締め紐で袋口あるいは筒口が押し縮められ絞られて閉じられているのを開けるのに、手で押し開けなければ開くことができなかったので、子供や力のない人には袋口あるいは筒口が開けにくかった。また、引締め紐に緩み止めが取り付けられていないものは、持ち運び中に袋口あるいは筒口が緩みやすく、衣類の筒口についている緩み止めは緩み止めを移動させてから開けなければならないため、２回の動作を行わないと開くことができなかつた。特許文献１のように摘み片を取り付けその摘み片をつかんで左右に引っ張る方法では、紐通し部より離れると大きな力が必要となる。特許文献１、２とも緩み止めが付いていないので袋口が持ち運び途中で緩みやすい。本発明はこのような従来の問題を解決するものであり、絞られた袋口あるいは筒口が楽に開き、物を入れて閉めるときには緩むことなく、袋口あるいは筒口の引締め紐による開閉紐構造を提供する。
【課題を解決するための手段】
【０００５】
請求項１記載の本発明の袋口あるいは筒口の引締め紐による開閉紐構造は、袋口あるいは筒口２に紐通し口３を設けた紐通し部４を形成し、紐通し部４内に引締め紐５を一周させて、その両端を紐通し口３より引き出すとともに、環状のスライダー６に摩擦抵抗が生じるようその両端を通し、かつその環状のスライダー６に持ち手８を引締め紐５と共に通すか、あるいは環状のスライダー６に合成樹脂や金属片の持ち手８を一体として取り付けたことである。
【０００６】
請求項２記載の本発明の袋口あるいは筒口の引締め紐による開閉紐構造は、袋口あるいは筒口２に紐通し口３を設けた紐通し部４を形成し、紐通し部４内に引締め紐５を一周させて、その両端を紐通し口３より引き出すとともに、ロックの板バネ１４や圧力板１７に持ち手８を取り付けた環状のスイダー６に、その両端を通した環状のスライダー６は、板バネ１４や圧力板１７で引締め紐５が押されて締めつけられて止められ、板バネ１４や圧力板１７の持ち手８を持って引き上げると、板バネ１４や圧力板１７が引き上げられてロックがはずれ、環状のスライダーが引締め紐上を移動できる構造にし、環状のスライダーに板バネ１４や圧力板１７に持ち手８を取り付けたことである。
【０００７】請求項３記載の本発明の袋口あるいは筒口の引締め紐による開閉紐構造は、環状のスライダー６を紐通し口３に固定したことである。【０００８】請求項４記載の本発明の袋口あるいは筒口の引締め紐による開閉紐構造は、袋口あるいは筒口２に第一の紐通し部４Ａ、第二の４Ｂを形成し、その第一の紐通し部４Ａ、第二の紐通し部４Ｂに互いに対向した第一の紐通し口３Ａ及び第二の紐通し口３Ｂを設けることによって、その第一の紐通し部４Ａ，第二の紐通し部４Ｂを第一の紐通し部４Ａ半部と第二の紐通し部４Ｂ半部に分割し、第一の引締め紐５Ａを第一の紐通し口３Ａから第一の紐通し部４Ａを通して第二の紐通し口３Ｂより引き出し、第二の引締め紐５Ｂを第一の紐通し口３Ａから第二の紐通し部４Ｂを通して第二の紐通し口３Ｂより引き出し、両側の第一の紐通し口３Ａ、第二の紐通し口３Ｂより出ている第一引締め紐５Ａ、第二の引締め紐５Ｂの両端を、それぞれ第一の環状のスライダー６Ａ、第二の環状のスライダー６Ｂを通し、かつそれぞれの第一の環状スライダー６Ａ、第二の環状のスライダー６Ｂを第一の紐通し口３Ａ及び第二の紐通し口３Ｂに固定したことである。【０００９】請求項５記載の本発明の袋口あるいは筒口の引締め紐による開閉紐構造は、紐通し口３と略反対側における紐通し部４に穴１２を開け、その穴１２から引締め紐５に第二の持ち手１０をくぐらせ取り付けたことである。
【発明の効果】
【００１０】  本発明の請求項１記載の袋口あるいは筒口の引締め紐による開閉紐構造は、袋口あるいは筒口に通された引締め紐に環状のスライダーを通すことで、袋口あるいは筒口を閉めるときには緩むこととなく良く閉まり緩み止めとなる。また、第一の持ち手を取り付けることで、環状のスライダーを子供や手の力の弱い人にも移動しやすく袋口あるいは筒口が緩み開けやすくなる。【００１１】  本発明の請求項２記載の袋口の引締め紐による開閉紐構造は、ロックの板バネや圧力板に第一の持ち手を取り付けた環状のスライダーを通すことにより、袋口を閉めたときには引締め紐が緩まないようにロックされ、袋口を開けるときには第一の持ち手を持つとロックが解除され、引締め紐上を移動することができる。【００１２】  本発明の請求項３記載の袋口の引締め紐による開閉紐構造は、紐通し口に環状のスライダーを固定することで、今まではストッパーを移動させてから袋口あるいは筒口を開いていた動作を、第一持ち手を持って移動すると、環状のスライダーと袋口あるいは筒口が一緒に移動し楽に開けられる。また、開きたい位置まで環状のスライダー移動すると、移動した位置まで開き緩み止めとなり作業効率が良い。【００１３】  本発明の請求項４記載の袋口あるいは筒口の引締め紐による開閉紐構造は、袋口あるいは筒口左右両側の紐通し口と環状のスライダーを固定することにより、紐通し部の片側の半分の長さの引締め紐を移動することで開閉でき、とくに袋口が大きく浅い形状の袋体においては、引締め紐を長く引き出さず袋口を閉められる。【００１４】  本発明の請求項５記載の袋口あるいは筒口の引締め紐による開閉紐構造は、紐通し口３と略反対側に第二の持ち手が取り付けたことにより、一方の手で第一の持ち手を持ち、他方の手で第二の持ち手を持つことで環状のスライダーを移動しやすく袋口あるいは筒口が開けやすく、従来の方法に比べて弱いい力で楽に開けられ作業効率が良い。
【図面の簡単な説明】
【００１５】
【図１】  本発明の第一の実施例袋口を開いた斜視図。
【図２】  本発明の第一の実施例の引締め紐と環状のスライダーの全体図。
【図３】  本発明の第二の実施例図２を衣類に取り付けた側面図。
【図４】  本発明の第三の実施例袋口を開いた斜視図。
【図５】  本発明の第三の実施例の環状のスライダーの断面図。
【図６】  本発明のロックの付いた環状のスライダーの斜視図。
【図７】  本発明の第四の実施例袋口を開いた斜視図。
【図８】  本発明の第五の実施例袋口を開いた斜視図。
【図９】  本発明の第五の実施例袋口を開いた側面図。
【図１０】  本発明の第五の実施例引締め紐と一対の環状のスライダーの全体図。
【図１１】  本発明の第五の実施例袋口を閉めた側面図。
【図１２】  本発明の第六の実施例袋口を開いた斜視図。
【図１３】  本発明の第六の実施例引締め紐に第二の持ち手を取り付けた全体図。
【図１４】  本発明の第六の実施例袋口を閉めた側面図。
【発明を実施するための形態】
【００１６】本発明の袋口の開閉紐の組立体の実施図を参照して説明する。
図１は巾着型の袋体１で不織布や布、合成樹脂シートの柔軟部材で作り、袋口２に紐通し口３を設けた紐通し部４をトンネル状に形成する。紐通し部４は、式締め紐５が緩く通る幅をとり、折り返して作るか、または、トンネル状になるよう部材を張り付けるか縫い付ける方法など目的に合った作り方でよい。紐通し口３より引締め紐５を紐通し部４内に一周させて両端を紐通し口３より引き出し、緩み止めとなるように緩くもなくきつくもなく摩擦抵抗が生じるよう環状のスライダー６を通し、その環状のスライダー６に第一の持ち手８を取り付け引締め紐５両端を合わせて留め付け部材７で留めるか、結び玉１１で留める。環状のスライダー６には布や金属、プラスチックなどの素材で作られたリングやパイプを緩くもなくきつくもなく摩擦抵抗が生じるよう第一の持ち手８を取り付けて引締め紐５に通す。第一の持ち手８は紐やプラスチック、金属等の素材で持ちやすい長さや形状のものを取り付けるか、環状のスライダー６に合成樹脂や金属片の持ち手を取り付け一体とした部材でもよい。引締め紐５を引くと袋口２が絞られて閉じ、環状のスライダー６が袋口の緩み止めとなり持ち運びしても袋口２が緩まない。また、開けるときには、第一の持ち手８を持って、移動させると袋口２が緩み開けやすくなる。第一の持ち手８が付いているので子供や手の力の弱い人でも移動しやすい。
【００１７】  図２は図１の紐通し部４に通されている引締め紐５と環状のスライダー６を表わしたものである。
【００１８】  図３は衣類９のデザインにより適宜必要な部分に紐通し口３を設け紐通し部４を作りもちいたものである。環状のスライダー６が取り付けてあるため、着用時に緩むことがない。引締め紐５のかわりにゴム紐でもよい。
【００１９】  図４、図１において袋口２の紐通し部４の引締め紐５に、ロックの板バネ１４に第一の持ち手８を取り付けた環状のスライダー６を通したものある。環状のスライダー６に板バネ１４を取り付ける板バネ通し穴１５を開け、板バネ１４をＶ字に折り曲げ一方の先端を板バネ通し穴１５に固定し、板バネ１４折り曲げ部１６は引締め紐５を強く押し下げ引締め紐５がロックされるようにし、他方の板バネ１４先端には第一の持ち手８を取り付ける。第一の持ち手８を持って板バネ１４を引き上げると、板バネ１４が持ち上げられてロックがはずれ環状のスライダー６が移動できる。第一の持ち手８が取り付けてあるので移動しやすい。
【００２０】  図５は、図４の環状のスライダー６の断面を表わしたものである。
図（Ａ）はロックが解除された断面図。図（Ｂ）はロックされた断面図。
【００２１】  図６は、ロック構造にコイルバネ１８を使い、圧力板に第一の持ち手８を取り付けた環状のスライダー６を表わしたものである。環状のスライダー６には、合成成樹脂や金属により筒状に形成し、側面に引締め紐５が通される対向した紐通し穴１９Ａ，１９Ｂを設ける。その紐通し穴１９Ａより引締め紐５を押し通し、紐通し穴１９Ｂより引き出す。通された引締め紐５はコイルバネ１８が圧力板１７で押されて締めつけられって止められるロック構造にし、圧力板１７には圧力板１７を引き上げる第一の持ち手８を取り付け、その第一の持ち手８を引き上げると、圧力板１７が引き上げられロックがはずれ環状のスライダー６が移動できる。
【００２２】  図７は、図１の環状のスライダー６に第一の持ち手８を取り付けた紐で紐通し口３と環状のスライダー６を一緒に固定する。固定の方法としては糸やカシメ、接着など材質に合わせて固定してよい。袋口２が閉められていても第一の持ち手８を持って環状のスライダー６を移動することで袋口が一緒に開くため、手で押し開けずにすむ。
【００２３】  図８は、袋口あるいは筒口２第一の紐通し部４Ａ、第二の紐通し部４Ｂを形成し、その第一の紐通し部４Ａ、第二の紐通し部４Ｂに互いに対向した第一の紐通し口３Ａ及び第二の紐通し口３Ｂを設けることによって、その第一の紐通し部４Ａ，第二の紐通し部４Ｂを第一の紐通し部４Ａ半部と第二の紐通し部４Ｂ半部に分割し、第一の引締め紐５Ａを第一の紐通し口３Ａから第一の紐通し部４Ａを通して第二の紐通し口３Ｂより引き出し、第二の引締め紐５Ｂを第一の紐通し口３Ａから第二の紐通し部４Ｂを通して第二の紐通し口３Ｂより引き出し、両側の第一の紐通し口３Ａ、第二の紐通し口３Ｂより出ている、第一引締め紐５Ａ、第二引締め紐５Ｂの両端を、それぞれ第一のスライダー６Ａ、第二のスライダー６Ｂを通し、かつそれぞれの第一の環状スライダー６Ａ、第二の環状のスライダー６Ｂを第一の紐通し口３Ａ及び第二の紐通し口３Ｂに固定したことにより、第一の紐通し部４Ａ第二の紐通し部４Ｂの長さの第一の引締め紐５Ａ、第二の引締め紐５Ｂを両側に移動することで袋口が開閉できる。
【００２４】  図９は、図８の袋口２が大きく浅い形状の袋体１を表わしたものである。袋口２が大きく浅い形状の袋体１では、袋口２を閉めるとき、一方に引き出される引締め紐５を長く引きださずにすむ。
【００２５】  図１０は、図８の袋口２に通されている引締め紐５と一対の環状のスライダー６を表わしたものである。
【００２６】  図１１は図８の袋口２を閉めた状態を表わしたものである。
【００２７】  図１２は袋口２の紐通し口３を設けた略反対側の紐通し部４に穴を開け、紐通し部４を形成する。穴１２はハトメでも穴かがりでもよい。紐通し口３より紐通し部４内に引締め紐５を一周させて、その両端を紐通し口３より引き出して環状のスライダー６を通し、かつ環状のスライダー６を紐通し口３に固定紐１３で固定し、引締め紐５両端は留付け部材７で留める。紐通し部４の穴１２から、第二の持ち手１０を紐通し部４に通されている引締め紐５にくぐらせて第二の持ち手１０を取り付ける。第二の持ち手１０は紐や金属、プラスチックの部材をつかい持ちやすい長さにする。一方の手で第一の持ち手８を持ち、他方の手で第二の持ち手１０を持っことで環状のスライダー６を移動しやすく、楽に袋口２を開けることができる。
【００２８】  図１３は図１２の引締め紐５全体を表わしたものである。
【００２９】  図１４は図１２の袋口２を閉めた状態を表わしたものである。
【符号の説明】
【００３０】１    袋体
２    袋口あるいは筒口
３    紐通し口
４    紐通し部
５    引締め紐
６    環状のスライダー
７    留付け部材
８    第一の持ち手
９    衣類
１０  第二の持ち手
１１  結び玉
１２  穴
１３  固定紐
１４  板バネ
１５  板バネ通し穴
１６  折り曲げ部
１７  圧力板
１８  コイルバネ
１９  紐通し穴
【図１】
0005453658.tif 000002
【図２】
0005453658.tif 000003
【図３】
0005453658.tif 000004
【図４】
0005453658.tif 000005
【図５】
0005453658.tif 000006
【図６】
0005453658.tif 000007
【図７】
0005453658.tif 000008
【図８】
0005453658.tif 000009
【図９】
0005453658.tif 000010
【図１０】
0005453658.tif 000011
【図１１】
0005453658.tif 000012
【図１２】
0005453658.tif 000013
【図１３】
0005453658.tif 000014
【図１４】
0005453658.tif 000015